(57)【特許請求の範囲】
【請求項１】
各種プリンタに応じた印字適性を有する表側用紙と、ラベル基材用紙／粘着剤層／離型紙の順に積層されたタック紙との略全面が、表側用紙／ラベル基材用紙／粘着剤層／離型紙の順になるように貼り合わされた１パート方式の配送伝票であって、表側用紙を貫通してタック紙の離型紙の手前に至るハーフカットにより、表側用紙の一部に印字可能な熨斗部分が区画されており、表側用紙の裏面には剥離層が形成され、表側用紙とタック紙とが接着剤層により貼り合わせられ、その剥離層と接着剤層は剥離可能構造をしており、剥離層は熨斗部分の一部分を除いて全体に設けられ、その剥離層なしの部分に応じてタック紙にハーフカットが設けられており、それによって、熨斗部分は、その一部を除いて表側用紙のみが分離可能となるように剥離可能構造を有することを特徴とする配送伝票。
【請求項２】
熨斗部分の天面に、剥離可能構造を持たない分離不能部分が設けられたことを特徴とする請求項１に記載の配送伝票。
【発明の詳細な説明】
【０００１】
【発明の属する技術分野】
本発明は、流通業界で使用される配送伝票の技術分野に属し、特に百貨店やスーパーなどでお中元やお歳暮を配送する際に好適に用いられる配送伝票に関するものである。
【０００２】
【従来の技術】
近年、各種の流通業界において商品を配送する際に使われる配送伝票の１パート化が進んでいる。その理由としては、ＩＴ化の進展による情報ネットワークの整備が急速に進展し、これまで配送中の中継基地にて抜き取っていた数々の控え片が不要になったことが挙げられる。
【０００３】
さらに、通販業界のようにもともと顧客や商品のデータをデジタル化して保管してあり、このデータを印字して配送伝票を発行するような業種においては、従来の多パート配送伝票では、現在では旧式とされるドットインパクト方式のプリンタでは使い勝手が悪いということもあった。
【０００４】
ドットインパクト方式のプリンタは、現在主流のＬＢＰ（レーザービームプリンタ）やＩＪＰ（インクジェットプリンタ）、サーマルプリンタといった非インパクト方式のプリンタと比較して、一般的に速度が同等以下で、加えて印字品質が劣り、また印字時の騒音が大きいといった問題がある。通販業界のように非インパクト方式プリンタを業務主力機としている場合、従来の多パート配送伝票を発行するためだけにドットインパクト方式のプリンタを購入しなければならず不便であった。そこで、配送伝票を１パート化することにより、これらの課題から解放されるようになり、急速に進展しているのである。
【０００５】
１パート配送伝票の基本的な考え方は、これまで多パート搬送伝票で必要としていた複数枚の控え片を、１）デジタルデータとして保管（必要に応じてネットワークから取り出す）、２）同じデータを複写して同一平面上に複数印字、という形に置き換えることで実現している。
【０００６】
開発当初の１パート方式の配送伝票は、同じデータを複写して同一平面上に設けるという構成上の特徴により、従来の多パート方式の配送伝票と比較して、伝票自体のサイズが大きくなりやすく、小型の荷物に貼りにくいという課題があったが、ＬＢＰ等は印字解像度が高いため、文字を一回り小型化することで実用サイズを実現し、現在に至っている。
【０００７】
さて、この１パート配送伝票は、その他にも様々な特徴がある。一つはコストメリットである。すなわち、前述したドットインパクトプリンタを新たに用意する必要がないという設備投資メリットに加え、従来の配送伝票が、複数枚の紙を必要とし、個々の枚目に印刷加工を行うことから比較すると、実質２枚（２パート）からなる１パート方式の搬送伝票は紙が少なくなるため、配送伝票自体が単価ダウンに直結しやすい。特に、１ヵ月に何十万個、何百万個も発送する業者にとって、この部分の魅力は極めて大きい。
【０００８】
そして、もう一つのメリットはハイブリッド化である。本発明者は、これまでも「商品明細書」や「ピッキングリスト」と呼ばれる１枚の紙片と、（タック紙が貼り合わされた）１パート配送伝票とが合体した新形態のフォームを提案してきたが、これも１パート化によって対応可能なプリンタ機種が増加した結果から生まれたものである。
【０００９】
上記の「商品明細書」は、通販業界において商品を箱詰めする際にピッキングするためのリストであり、箱詰めした後は箱の最上部に入れておき、商品を受け取った顧客（消費者）が注文した商品と照合する際に使用できるようにしたのである。
【００１０】
これまでは、配送伝票をドットインパクト方式プリンタで印字しておき、この伝票とは別に、例えばＬＢＰやページプリンタと呼ばれる非インパクト方式プリンタで印字した商品明細書を用意し、これら２種類の伝票を目視するか或いは機械読取にかけ、人手かマッチング機で紐付けしていた。しかしながら、このやり方では、１）マッチングに時間がかかるため、注文から発送までに時間を要し、顧客満足度が低下する、２）人手でも機械でもタダではないので、マッチングに費用がかかる、３）作業ミスがあるため、無駄な物流費用を必要とする、といった課題があり、作業フローそのものの見直しを提案してきた。
【００１１】
つまり、配送伝票と商品説明書を同時に印字し、箱詰めした商品の中身を確認し、商品明細書を箱に入れる段階で前述した２種の伝票を分離して、１パート方式の配送伝票を箱に貼り発送する、といった方法である。
【００１２】
このように、上記のようなメリットが相乗的に効いて、配送伝票の１パート化が急速に進展している訳である。
【００１３】
【発明が解決しようとする課題】
これまで述べてきたように、通販業界では１パート方式の配送伝票の導入により、比較的大きなメリットを享受できている。しかしながら、百貨店やスーパーといった流通業界では、慣習やしきたりに根ざす部分も少なくないため、まだ導入は試験的であることが多い。中でも、顧客に頼まれた荷物を（同一ないし近しい関係の）相手に届けることが最大の業務である通販業界や運送業界にはなく、流通業界特有のものとして「お中元」や「お歳暮」がある。
【００１４】
お中元やお歳暮は、新聞等のメディアによれば、時代の流れで少なくなっているとの報告もあるが、百貨店や大手スーパーなどでは依然として膨大な量の依頼がある。そして、このお中元やお歳暮は、個人や法人から比較的社会的地位の高い人に送られるといった特徴があるため、届くだけでは不十分で、送付先に失礼がないように十分配慮する必要がある。
【００１５】
一般に、お中元やお歳暮には「熨斗」という紙片を荷物に貼る慣習があり、本来、送付する人がその紙片の一部に名前を入れるものであるが、お中元もお歳暮も一時期に大量に発送する必要があることから、これまでは名前の記載されていない状態の熨斗を予め貼っておき、これに発行した配送伝票のみを貼り付けて発送することで簡略化していた。
【００１６】
しかしながら、前述した「しきたり」に根ざすものであり、顧客が望めば名前を入れる必要があり、この場合は通常ラインとは別に顧客対応していた。そして、熨斗に記入する相手先の「名前」も、もちろん書いてあればよいという性質のものではなく、書道の有段者等、百貨店内で資格を有する人に限られていた。
【００１７】
なお、一部では、熨斗用プリンタという専用設備を導入しているところもあるが、コストがかかる上に、保管や設置のためのスペースも必要であり、使用期間が一時期に限られるという多くのデメリットがあり、実用的ではない。
【００１８】
以上のことを整理すると、１パート方式の配送伝票を導入しても、現在では熨斗に名前を入れるために、手書きや専用設備で別に用意する必要が生じ、結果として熨斗と１パート配送伝票のマッチングが必要となるため、業務効率の改善が難しかった。
【００１９】
本発明は、上記のような状況に鑑みてなされたものであり、その目的とするところは、顧客に対しては高い満足度を与えつつ、百貨店等に対しても高い作業性と経済性を与えることのできる熨斗付きの配送伝票を提供することにある。
【００２１】
【課題を解決するための手段】
上記の目的を達成するために、請求項１に記載の発明である配送伝票は、各種プリンタに応じた印字適性を有する表側用紙と、ラベル基材用紙／粘着剤層／離型紙の順に積層されたタック紙との略全面が、表側用紙／ラベル基材用紙／粘着剤層／離型紙の順になるように貼り合わされた１パート方式の配送伝票であって、表側用紙を貫通してタック紙の離型紙の手前に至るハーフカットにより、表側用紙の一部に印字可能な熨斗部分が区画されており、表側用紙の裏面には剥離層が形成され、表側用紙とタック紙とが接着剤層により貼り合わせられ、その剥離層と接着剤層は剥離可能構造をしており、剥離層は熨斗部分の一部分を除いて全体に設けられ、その剥離層なしの部分に応じてタック紙にハーフカットが設けられており、それによって、熨斗部分は、その一部を除いて表側用紙のみが分離可能となるように剥離可能構造を有することを特徴としている。
【００２２】
請求項２に記載の発明である配送伝票は、請求項１に記載の配送伝票において、熨斗部分の天面に、剥離可能構造を持たない分離不能部分が設けられたことを特徴としている。
【００２４】
【発明の実施の形態】
次に、図面を参照して本発明の実施の形態について説明する。
【００２５】
図１は本発明に係る配送伝票の一例を示す平面図で、図２は図１のＸ−Ｘ断面図、図３は図１のＹ−Ｙ断面図である。
【００２６】
図１に示す配送伝票は、配達票１１、貼付票１２及び作業控え１３からなる伝票部分とそれらの横に熨斗部分１４を並べた状態でこれら伝票部分と熨斗部分１４を２組配列した１枚目の表側用紙１０と、これと同サイズの２枚目のタック紙２０とを接着剤層３０により貼り合わせた構成をしており、表側用紙１０の裏面には剥離層４０が形成されている。
【００２７】
表側用紙１０は、上質紙やインクジェット用紙といった各種プリンタに応じた印字適性を有する紙で構成される。また、タック紙２０は、図示のように、ラベル基材用紙２１の裏側に粘着剤層２２を形成し、その粘着剤層２２に離型紙２３を貼り合わせた公知のものである。そして、配達票１１、貼付票１２、作業控え１３及び熨斗部分１４を区画する位置には、表側用紙１０を貫通してタック紙２０の一部に至るハーフカットａが形成されている。
【００２８】
また、剥離層４０は、貼付票１２の部分と、熨斗部分１４の上部の一部分１４ａを除いて帳票全体に設けられている。そして、熨斗部分１４におけるこの剥離層なしの部分１４ａに応じてタック紙２０に矩形のハーフカットαが設けられている。したがって、熨斗部分１４は、表側用紙１０のみが分離可能ではあるが、一部分１４ａは接着剤層３０、ラベル基材用紙２１及び粘着剤層２２と分離不能になっており、熨斗部分１４の表側用紙１０を剥がすと一部分１４ａにタック紙２０の粘着剤層２２が自動的に露出することになる。
【００２９】
剥離層４０と接着剤層３０は剥離可能構造を形成している。この剥離可能構造は剥離インキと熱可塑性接着剤との組合せで構成することができ、この場合、熱可塑性接着剤として、熱可塑性樹脂に顔料分として微細粒子が混合された擬似接着剤、熱可塑性樹脂に硬化剤を添加して皮膜性を向上させた擬似接着剤、接着剤粒子自体を微粒子化した擬似接着剤のいずれを使用してもよい。また、剥離可能構造は、オレフィン系素材と非オレフィン系素材の共押出しによって形成された擬似接着フィルムで構成することもできる。この剥離可能構造の接着力については特に制限はない。
【００３０】
上記構成の配送伝票は、配達票１１、貼付票１２及び作業控え１３からなる伝票部分とそれらの横の熨斗部分１４に対してプリンタにより同時に印字が行われる。印字を終えた配送伝票は、配送センターにて、伝票部分と熨斗部分１４をそれぞれ離型紙２３より剥がし、図４に示すように、それぞれ贈り物としての配達物Ｃに貼り付ける。この場合、伝票部分の裏側には全面に粘着剤層２２が露出し、熨斗部分１４の裏側には一部分１４ａに粘着剤層２２が露出した状態になる。したがって、熨斗部分１４はその粘着剤により配達物Ｃに貼着することができ、これまでのように粘着テープ等で留める必要がなく、しかも見栄えが良くなる。また、表側用紙のみを貼り付けるので、従来の熨斗と同等の感触が得られる。
【００３１】
上記のように、配送センターにて伝票部分と熨斗部分１４とを図４に示す如く配達物Ｃに貼り付けた後、作業控え１３を剥がし、その作業控え１３は配送センターにて管理する。そして、配送過程では、配達作業者が配達票１１をラベル基材用紙２１から剥がし、配送先にて受領印をもらった後、配達証として持ち帰って保管する。一方、配達物Ｃに残る貼付票１２の情報によりその配達物Ｃが管理されることになる。
【００３２】
以上、一つの具体例を挙げて本発明の実施の形態について詳細に説明してきたが、本発明による配送伝票は、上記した実施の形態に何ら限定されるものではなく、本発明の趣旨を逸脱しない範囲において種々の変更が可能であることは当然のことである。
【００３３】
例えば、熨斗部分の粘着剤露出部分は、熨斗の上部に限らず、上部と下部の２ヶ所でもそれ以上でもよく、全面でも構わない。また、形態によっては、熨斗部分が伝票部分と一体化された状態であっても構わない。
【００３４】
また、伝票部分の形態としてはカット紙状で単位帳票当たり３片が連設したものを例に挙げたが、連続紙であっても構わないし、単位帳票当たり２片でも４片でもそれ以上でもよく、これについても制約はない。
【００３５】
さらに、複数小口対応等により、必ずしも伝票部分と熨斗部分の数量が同一である必要もなく、顧客の要望に応じて様々な変形が可能である。
【００３６】
【発明の効果】
以上に説明したように、本発明は、各種プリンタに応じた印字適性を有する表側用紙と、ラベル基材用紙／粘着剤層／離型紙の順に積層されたタック紙との略全面が、表側用紙／ラベル基材用紙／粘着剤層／離型紙の順になるように貼り合わされた１パート方式の配送伝票であって、表側用紙を貫通してタック紙の離型紙の手前に至るハーフカットにより、表側用紙の一部に印字可能な熨斗部分が区画されており、表側用紙の裏面には剥離層が形成され、表側用紙とタック紙とが接着剤層により貼り合わせられ、その剥離層と接着剤層は剥離可能構造をしており、剥離層は熨斗部分の一部分を除いて全体に設けられ、その剥離層なしの部分に応じてタック紙にハーフカットが設けられており、それによって、熨斗部分は、その一部を除いて表側用紙のみが分離可能となるように剥離可能構造を有することを特徴としているので、従来のように熨斗と配送伝票を紐付けする必要がなくなり、また１パート配送伝票と基本構成が同じ、同一プリンタが使用できるため、新たな設備投資が不要であり、低コストでかつ確実な作業が期待できることから、顧客満足度の向上に貢献することができる。
【００３７】
さらに、この配送伝票を用いたシステムを推進することにより、お中元やお歳暮といった季節商品に限らず、誕生祝、内祝、入園祝、入学祝、寿、無地といった種々の熨斗について容易に応えることができ、顧客のみならず百貨店などの店側にとっても人材不足問題やコストダウンといった面で高い効果を期待することができる。
【図面の簡単な説明】
【図１】本発明に係る配送伝票の一例を示す平面図である。
【図２】図１のＸ−Ｘ断面図である。
【図３】図１のＹ−Ｙ断面図である。
【図４】伝票部分と熨斗部分を配達物に貼付した状態を示す斜視図である。
【符号の説明】
１０  表側用紙
１１  配送票
１２  貼付票
１３  作業控え
１４  熨斗部分
１４ａ  一部分
２０  タック紙
２１  ラベル基材用紙
２２  粘着剤層
２３  離型紙
３０  接着剤層
４０  剥離層
Ｃ  配達物
ａ  ハーフカット
α  ハーフカット
【図１】
0004632224.tif 000002
【図２】
0004632224.tif 000003
【図３】
0004632224.tif 000004
【図４】
0004632224.tif 000005